(57)【要約】【課題】鉄筋を拘束する機能を有しかつ径が異なる鉄筋にも対応でき、鉄筋トラス付デッキプレートを使用しかつ床スラブ用の鉄筋を増設したいという要望にも応えることができる鉄筋用スペーサーを提供する。【解決手段】鉄筋用スペーサー２は、帯板状の基板部４の下面の長さ中央部と両端部とにかぶり寸法に応じた長さの脚部４１〜４３がそれぞれ設けられている。基板部４の上面の長さ中央部には、鉄筋の周面の一部が嵌る幅方向に沿う凹溝４８が形成され、凹溝４８を挟む対向位置に鉄筋を挟持するための弾性変形が可能な一対の保持板部５，５が立設されている。各保持板部５は、基板部４と一体の外壁部５０と、外壁部５０の上端を内側へＵ字状に折り返して形成された内壁部５１とを有する。各内壁部５１の対向する面には、鉄筋の外周面に引っ掛かる抜止め突起５２，５３が形成されている。【選択図】図２
2008075290.tif 000002
【特許請求の範囲】
【請求項１】
床スラブ用の鉄筋を型枠またはデッキプレート上のコンクリートのかぶり寸法に応じた高さ位置に水平に保持するための合成樹脂製の鉄筋用スペーサーであって、
基板部の下面の中央部と両端部とに前記かぶり寸法に応じた長さの脚部がそれぞれ設けられ、基板部の上面の中央部に鉄筋の周面の一部が嵌る幅方向に沿う凹溝を備え、凹溝を挟む対向位置に鉄筋を挟持するための弾性変形が可能な一対の保持板部が立設されており、各保持板部は、基板部と一体の外壁部と、外壁部の上端を内側へＵ字状に折り返して形成された内壁部とを有し、各内壁部の対向する面には、鉄筋の外周面に引っ掛かる抜止め突起が形成されて成る鉄筋用スペーサー。
【請求項２】
前記抜止め突起は、基板部の上面に対する異なる高さ位置にそれぞれ設けられている請求項１に記載された鉄筋用スペーサー。
【請求項３】
各保持板部は、外壁部と内壁部との間に介在する圧縮変形が可能なストッパーを有している請求項１に記載された鉄筋用スペーサー。
【請求項４】
前記基板部は、鉄筋トラス付デッキプレートの基板の上面に突設されたリブに係合する係合片を一体に備えている請求項１に記載された鉄筋用スペーサー。
【請求項５】
少なくとも上端筋とラチス筋とを含むトラスが複数並設された基板上に、請求項１〜４のいずれかに記載された鉄筋用スペーサーによって床スラブ用の鉄筋が保持されている鉄筋トラス付デッキプレート。
【請求項６】
前記床スラブ用の鉄筋は、隣り合うトラスの設置位置の中間に設置された鉄筋用スペーサーにより保持されている請求項５に記載されたデッキプレート。
【請求項７】
前記床スラブ用の鉄筋は、トラスの設置位置に設置された鉄筋用スペーサーにより上端筋の下方に保持されている請求項５に記載された鉄筋トラス付デッキプレート。
【発明の詳細な説明】
【技術分野】
【０００１】
この発明は、床スラブ用の鉄筋を型枠またはデッキプレート上のコンクリートのかぶり寸法に応じた高さ位置に水平に保持するための鉄筋用スペーサーと、トラスが複数並設された基板上に鉄筋用スペーサーによって床スラブ用の鉄筋が水平に保持された鉄筋トラス付デッキプレートとに関する。
【背景技術】
【０００２】
従来、この種の鉄筋用スペーサーとして、種々の材質のものや種々の形態のものが提案されている。錆が発生せずに、低コストで大量生産が可能であることを考えると、合成樹脂製のスペーサーを用いるのが望ましい。
先般、合成樹脂製のスペーサーとして、上端筋、下端筋、および段取り筋を載せるための円弧状の切欠きが上下の複数箇所に設けられた構造のものが提案された（例えば、特許文献１参照）。
【０００３】
【特許文献１】特開２００６−１７７１２７号公報
【発明の開示】
【発明が解決しようとする課題】
【０００４】
しかし、上記したスペーサーは、切欠きに鉄筋を嵌めて支持するだけのもので、鉄筋を拘束する機能が不十分であり、鉄筋が脱落するおそれがある。また、切欠きの円弧は、使用する鉄筋の径に合わせてあるので、径が異なる鉄筋を使用したい場合は不都合であり、鉄筋の径毎にスペーサーを用意する必要がある。
【０００５】
ところで、床スラブを構築するのに鉄筋トラス付デッキプレートが用いられている。典型的な鉄筋トラス付デッキプレートは、金属製の基板上に上端筋とラチス筋と下端筋とで構成されるトラスを複数並設した構造のものである。この種のデッキプレートとして、下端筋を省略するために、図８に示すように、金属製の基板１０に下端筋として機能させるリブ１１を一体形成し、そのリブ１１に立体形状のラチス筋１２をスポット溶接し、ラチス筋１２の上に上端筋１３をスポット溶接した構造のものがある。
【０００６】
上記した鉄筋トラス付デッキプレート１を使用しかつ床スラブ用の鉄筋を増設するような場合、基板１０上のコンクリートのかぶり寸法に応じた高さ位置に鉄筋を水平に保持する必要があるが、そのような用途に適合する鉄筋用スペーサであって、鉄筋を拘束する機能を有しかつ径が異なる鉄筋にも対応できる鉄筋用スペーサーはこれまで存在しない。
【０００７】
この発明は、上記した問題に着目してなされたもので、鉄筋を拘束する機能を有しかつ径が異なる鉄筋にも対応でき、さらに、鉄筋トラス付デッキプレートに床スラブ用の鉄筋を容易に増設し得る鉄筋用スペーサーを提供することを目的とする。
さらに、この発明が他に目的とするところは、上記の鉄筋用スペーサーを用いて床スラブ用の鉄筋が追加された鉄筋トラス付デッキプレートを提供することにある。
【課題を解決するための手段】
【０００８】
この発明による鉄筋用スペーサーは、床スラブ用の鉄筋を型枠またはデッキプレート上のコンクリートのかぶり寸法に応じた高さ位置に水平に保持するためのものであり、合成樹脂製であり、基板部の下面の中央部と両端部とに前記かぶり寸法に応じた長さの脚部がそれぞれ設けられている。基板部の上面の中央部に鉄筋の周面の一部が嵌る幅方向に沿う凹溝を備え、凹溝を挟む対向位置に鉄筋を挟持するための弾性変形が可能な一対の保持板部が立設されている。各保持板部は、基板部と一体の外壁部と、外壁部の上端を内側へＵ字状に折り返して形成された内壁部とを有し、各内壁部の対向する面には、鉄筋の外周面に引っ掛かる抜止め突起が形成されている。
【０００９】
上記した構成の鉄筋用スペーサーを用いて床スラブ用の鉄筋を型枠またはデッキプレート上に保持するには、鉄筋の少なくとも両端部の位置に鉄筋用スペーサーをそれぞれ配置した後、鉄筋用スペーサーの対向する保持板部間の空間へ上方より鉄筋を挿入する。鉄筋の挿入により各保持板部が外側へ押し開かれて弾性変形し、鉄筋は基板部の凹溝に嵌まって支持される。
【００１０】
各保持板部は弾性復元力により復帰動作するもので、鉄筋の径が小さければ、各保持板部の内壁部の下端部がそれぞれ鉄筋の外周面の頂部に被さるように当接する。これにより鉄筋が拘束され、上方へ抜け出るのが阻止される。
それより大きな径の鉄筋では、外側へ弾性変形した各保持板部の内壁部が弾性復元力により復帰動作して鉄筋の外周面の両側部に突き当たり、内壁部に弾性復元力による保持力が作用する。これにより鉄筋が拘束され、各内壁部の抜止め突起が鉄筋の外周面に引っ掛かるので、鉄筋の上方への抜けが阻止される。
それよりさらに大きな径の鉄筋では、各保持板部の内壁部と外壁部とが外側へ弾性変形した後、弾性復元力により復帰動作し、内壁部が鉄筋の外周面の両側部に突き当たり、内壁部および外壁部の弾性変形による保持力が作用する。これにより鉄筋が拘束され、各内壁部の抜止め突起が鉄筋の外周面に引っ掛かるので、鉄筋の上方への抜けが阻止される。
【００１１】
この発明の好ましい実施態様においては、前記抜止め突起は、基板部上の異なる高さ位置にそれぞれ設けられている。
この実施態様によれば、径が異なる鉄筋について鉄筋の外周面にいずれかの抜止め突起が引っ掛かり、鉄筋の上方への抜けを阻止する。
【００１２】
この発明の他の好ましい実施態様においては、各保持板部は、外壁部と内壁部との間に介在する圧縮変形が可能なストッパーを有している。
この実施態様によれば、保持板部間の空間へ鉄筋を挿入するとき、保持板部の内壁部の弾性変形に伴ってストッパーが圧縮変形し、圧縮変形したストッパーが内壁部の弾性変形を規制することで、その後は外壁部を弾性変形させる。径が大きな鉄筋については、鉄筋の外周面の両側部に内壁部および外壁部の弾性復元力による大きな保持力が作用する。
【００１３】
この発明の好ましい実施態様においては、前記基板部は、鉄筋トラス付デッキプレートの基板の上面に突設されたリブに係合する係合片を一体に備えている。
この実施態様によれば、基板の上面に突設されたリブに係合片を係合することで、鉄筋トラス付デッキプレートに鉄筋用スペーサーを安定した状態で簡単に設置でき、スラブ用鉄筋の増設が容易に行える。
【００１４】
この発明による鉄筋トラス付デッキプレートは、少なくとも上端筋とラチス筋とを含むトラスが複数並設された基板上に、上記したいずれかの鉄筋用スペーサーによって床スラブ用の鉄筋が保持されたものである。
この発明によると、床スラブ用の鉄筋が追加されることで床スラブの強度が高められ、重量物が格納される倉庫の床など、鉄筋トラス付デッキプレートを特に床スラブの強化が必要な用途に適合させることができる。
【００１５】
上記した鉄筋トラス付デッキプレートでは、床スラブ用の鉄筋は、隣り合うトラスの設置位置の中間に設置された鉄筋用スペーサーにより保持されるか、またはトラスの設置位置に設置された鉄筋用スペーサーにより上端筋の下方に保持される。
特に、トラスの設置位置に床スラブ用の鉄筋を設置するようにすれば、運送時にも現場施工時にも鉄筋用スペーサーや鉄筋が邪魔にならないので、工場での組付けが可能となり、現場での工程を短縮できる。
【発明の効果】
【００１６】
この発明による鉄筋用スペーサーは、鉄筋を拘束する機能を有するもので、鉄筋を安定して保持できる。また、径が異なる鉄筋についても、鉄筋を拘束する機能を有するもので、径が異なる鉄筋に対応でき、鉄筋の径に応じた複数種類のものを製作する必要がない。さらに、鉄筋トラス付デッキプレートに床スラブ用の鉄筋を容易に追加できるので、鉄筋トラス付デッキプレートに床スラブ用の鉄筋を増設したいという要望に応えることができる。
また、床スラブ用の鉄筋が追加された鉄筋トラス付デッキプレートを容易に製作でき、床スラブの強度を高めることができるので、重量物が格納される倉庫の床など、鉄筋トラス付デッキプレートを特に床スラブの強化が必要とされる用途に適合させることができる。
【発明を実施するための最良の形態】
【００１７】
図１は、この発明の一実施例である鉄筋用スペーサー２が設置されかつ鉄筋３が保持された状態の鉄筋トラス付デッキプレート１を示している。
図示例の鉄筋用スペーサー２は、鉄筋トラス付デッキプレート１上のコンクリートのかぶり寸法に応じた高さ位置に床スラブ用の鉄筋３を水平に保持するものであるが、これに限らず、ベニヤ合板などの型枠上のコンクリートのかぶり寸法に応じた高さ位置に床スラブ用の鉄筋を水平に保持するのに用いることもできる。
【００１８】
また、この実施例の鉄筋用スペーサー２は、直径が１０ｍｍ、１３ｍｍ、１６ｍｍの３種類の鉄筋を保持することが可能な構成になっているが、これに限らず、２種類の鉄筋、或いは４種類の鉄筋を保持することが可能な構成とすることもできる。
なお、下記の説明において、３０は直径が１０ｍｍの鉄筋を、３１は直径が１３ｍｍの鉄筋を、３２は直径が１６ｍｍの鉄筋を、それぞれ指し、これら３種類の鉄筋を総称する場合は符号「３」で示す。
【００１９】
図示例の鉄筋用スペーサー２は、合成樹脂成型品であって、図２および図３に示すように、帯板状の基板部４の下面の長さ中央部と両側端部とにかぶり寸法に応じた長さの脚部４１，４２，４３がそれぞれ一体に設けられている。各脚部４１〜４３は基板部４の幅方向に沿い、裾広がりの形態を有している。一側端部の脚部４２の下端には外向きの水平片４２ａが、さらに水平片４２ａの先端には斜め上方を向いた傾斜片４２ｂが、それぞれ一体形成されている。
【００２０】
基板部４の幅中央にはリブ４４ａ，４４ｂが一体形成され、中央位置の脚部４１の一側面には前記リブ４４ａに連続するリブ４５ａが、他側面には前記リブ４４ｂに連続するリブ４５ｂが、それぞれ一体形成されている。リブ４４ａ，４４ｂは基板部４の曲げ剛性を高め、リブ４５ａ，４５ｂは中央位置の脚部４１の曲げ剛性を高める。
【００２１】
前記基板部４の両側端には、外方へ延びかつ下方へ湾曲するばね弾性のある係合片４６，４７が一体形成されている。一方の係合片４６の先端は脚部４２の水平片４２ｂの位置まで延びている。他方の係合片４７の先端は脚部４３の下端の手前位置まで延びている。
【００２２】
前記鉄筋トラス付デッキプレートの基板１０は、亜鉛メッキ鋼板をもって形成されており、各トラス１４を設ける位置に内方へ傾いた左右一対のリブ１１，１１が突設されている。各リブ１１は、基板１０の曲げ剛性を高めるとともに、トラス１４の下端筋として機能させるものである。
この実施例では、隣り合うトラス１４，１４の設置位置の中間位置、すなわち、トラス１４が設置されていない位置に鉄筋３を保持する。鉄筋３の保持位置に鉄筋用スペーサー２が設置されるもので、鉄筋用スペーサー２の係合片４６，４７をリブ１１，１１の傾斜下端に係合させている。一側端部の脚部４２に設けられた傾斜板４２ｃはリブ１１の傾斜角と一致する傾斜角を有し、リブ１１の外面に当接する。
【００２３】
基板部４の上面の長さ中央部には、鉄筋３の周面の一部が嵌る幅方向に沿う凹溝４８が形成されている。図示例の凹溝４８は湾曲する凹曲面に形成されているが、鉄筋３の周面が嵌るものであれば、その形状は問わない。
【００２４】
基板部４の上面の凹溝４８を挟む対向位置には鉄筋３を挟持するための弾性変形が可能な一対の保持板部５，５が立設されており、対向する保持板部５，５間には鉄筋３を挿入することが可能な空間部ｓが形成されている。
【００２５】
各保持板部５は、基板部４と一体の垂直な外壁部５０と、外壁部５０の上端を内側へＵ字状に折り返して形成された内壁部５１とで構成されている。内壁部５１は斜め下方へ延び、その先端は基板部４の上方の所定の高さ位置、すなわち、図４（１）に示すように、直径が１０ｍｍの鉄筋３０が空間部ｓに挿入されたとき、鉄筋３０の頂部に達するように長さが設定されている。
【００２６】
外壁部５０と内壁部５１との間には隙間ｄが存在し、内壁部５１は隙間ｄが狭められる方向へ弾性変形することが可能である（図２において一点鎖線Ｘで示す。）。弾性変形した内壁部５１には、原状に復帰しようとする弾性復元力が作用する。この弾性復元力は、前記空間部ｓに直径が１３ｍｍの鉄筋３１が挿入されたときは図４（２）に示すように、また、１６ｍｍの鉄筋３２が挿入されたときは図４（３）に示すように、それぞれ鉄筋３１，３２に保持力として作用する。
【００２７】
前記外壁部５０も外方向へ弾性変形して傾くことがが可能であり（図２において一点鎖線Ｙで示す。）、弾性変形した外壁部５０には、原状に復帰しようとする弾性復元力が作用する。この弾性復元力は、前記空間部ｓに直径が１６ｍｍの鉄筋３２が挿入されたとき（図４（３））、鉄筋３２に保持力として作用する。
【００２８】
各内壁部５１の対向する面には、直径が１３ｍｍおよび１６ｍｍの各鉄筋３１，３２の外周面に引っ掛かる抜止め突起５２（図４（２）（３）参照）と、直径が１６ｍｍの鉄筋３２の外周面に引っ掛かる抜止め突起５３（図４（３）参照）とが基板部４上の異なる高さ位置にそれぞれ一体形成されている。各抜止め突起５２，５３の先端は尖り、一方の抜止め突起５２は他方の抜止め突起５２より大きく突出している。
【００２９】
各保持板部５の外壁部５０と内壁部５１との間には圧縮変形が可能なストッパー６を介在させている。図示例のストッパー６は紐状のものであり、内壁部５１が隙間ｄを狭める方向へ弾性変形するとき押し縮められ、内壁部５１が原状に復帰するとき引き伸ばされる。ストッパー６が縮まることで内壁部５１は弾性変形するが、ストッパー６が十分に押し縮められたとき（図４（３）参照）、内壁部５１はそれ以上に弾性変形することができず、その後は外壁部５０が弾性変形することになる。
【００３０】
図５は、この発明の他の実施例である鉄筋用スペーサー２の構成を、図６は、その鉄筋用スペーサー２が設置されかつ鉄筋３が保持された状態の鉄筋トラス付デッキプレート１を、それぞれ示している。
この実施例の鉄筋用スペーサー２は、基板部４の下面の長さ中央部と両側端部とにかぶり寸法に応じた長さの脚部４１，４２，４３がそれぞれ一体に設けられている。各脚部４１〜４３は基板部４の幅方向に沿い、裾広がりの形態になっている。
【００３１】
基板部４の下面にはリブ４４ａ，４４ｂが一体形成され、中央位置の脚部４１の一側面には前記リブ４４ａに連続するリブ４５ａが、他側面には前記リブ４４ｂに連続するリブ４５ｂが、それぞれ一体形成されている。両側端部の脚部４２，４３の内面にも前記リブ４４ａ，４４ｂに連続するリブ４６ａ，４６ｂがそれぞれ一体形成されている。リブ４４ａ，４４ｂは基板部４の曲げ剛性を高め、リブ４５ａ，４５ｂは中央位置の脚部４１の曲げ剛性を高め、リブ４６ａ，４６ｂは両側端部の脚部４２，４３の曲げ剛性を高める。
【００３２】
各脚部４１〜４３の下端には底板部７が一体形成され、底板部７の両端には脚部４２，４３より外側へ一定長さ突出する係合片４６，４７が形成されている。各係合突片４６，４７は基板１０の傾斜するリブ１１の基端部に係合する。
各係合片４６，４７の対角位置には、図７（１）（２）に示すように、面取り部７３，７４が形成されている。鉄筋用スペーサー２の設置に際して、基板１０上に鉄筋用スペーサー２を斜めに置いた後（図７（１））、鉄筋用スペーサー２を回動させて係合片４６，４７をリブ１１の基端部に、リブ１１がわずかに変形して弾性復元力が係合片４６，４７に作用するように係合させるとき（図７（２））、前記面取り部７３，７４の存在によって係合が容易かつ円滑に行われる。
【００３３】
基板部４の上面の長さ中央部には、鉄筋３の周面の一部が嵌る幅方向に沿う凹溝４８が形成されるとともに、凹溝４８を挟む対向位置に鉄筋３を挟持するための弾性変形が可能な一対の保持板部５，５が立設されている。上記凹溝４８および各保持板部５の構成は図１〜図４に示した実施例と同様であり、ここでは対応する箇所に同一の符号を付することで詳細な説明を省略する。
【００３４】
上記した構成の鉄筋用スペーサー２を用いて床スラブ用の鉄筋３をデッキプレート１上に保持するには、鉄筋３の少なくとも両端部の位置にそれぞれ鉄筋用スペーサー２を設置した後、各鉄筋用スペーサー２について、対向する保持板部５，５間の空間ｓへ上方より鉄筋３を挿入する。鉄筋３の挿入により各保持板部５，５が外側へ押し開かれて弾性変形し、鉄筋３は基板部４の凹溝４８に嵌まって支持される。
【００３５】
各保持板部５，５は弾性復元力により復帰動作するもので、直径が１０ｍｍの鉄筋３０については、図４（１）に示すように、各保持板部５の内壁部５１の下端部がそれぞれ鉄筋３０の外周面の頂部に被さるように当接する。これにより鉄筋３０が拘束されるともに、鉄筋３０の上方への抜けが阻止される。
【００３６】
直径が１３ｍｍの鉄筋３１については、図４（２）に示すように、各保持板部５の内壁部５１は外側へ弾性変形して鉄筋３１を受け入れた後、弾性復元力により復帰動作して鉄筋３１の外周面の両側に突き当たり、内壁部５１の弾性復元力による保持力が作用する。これにより鉄筋３１が拘束されるとともに、各内壁部３１の下方位置の抜止め突起５２が鉄筋３１の外周面に引っ掛かるので、鉄筋３１の上方への抜けが阻止される。
【００３７】
直径が１６ｍｍの鉄筋３２については、図４（３）に示すように、各保持板部５の内壁部５１と外壁部５０とが外側へ弾性変形して鉄筋３２を受け入れた後、弾性復元力により復帰動作し、内壁部５１が鉄筋３２の外周面の両側部に突き当たり、内壁部５１および外壁部５０の弾性復元力による保持力が作用する。これにより鉄筋３２が拘束されるとともに、各内壁部５１の上下の各抜止め突起５２，５３が鉄筋３２の外周面に引っ掛かるので、鉄筋３２の上方への抜けが阻止される。
【００３８】
上記した構成の鉄筋トラス付デッキプレート１を予め工場などで製作して保管しておき、これを必要な個数だけ建設現場へ運んで設置する。鉄筋用スペーサー２のみを予め工場で設置しておき、鉄筋３の方は建設現場で鉄筋用スペーサー２に保持させるようにしてもよいが、工場で予め鉄筋用スペーサー２を設置しかつ鉄筋３を鉄筋用スペーサー２に保持させておくこともできる。
【００３９】
この鉄筋トラス付デッキプレート１を必要な個数だけ建設現場に設置した後、鉄筋トラス付デッキプレート１にコンクリートを打設して床スラブを構築する。仮設時はトラス１４は吊り下げ用力骨として機能し、基板１０はトラス１４と協働してが荷重を支持するとともに、流動性を有するコンクリートがこぼれないように保持する。本設時においては、上端筋１３や鉄筋３が鉄筋コンクリートのスラブ主筋としてモーメントによって生じる引っ張り力に抵抗する役割を果たすものである。
【図面の簡単な説明】
【００４０】
【図１】この発明の一実施例である鉄筋用スペーサーを用いて鉄筋トラス付デッキプレート上にスラブ用鉄筋を保持した状態を示す斜視図である。
【図２】この発明の一実施例である鉄筋用スペーサーの構成を示す正面図である。
【図３】この発明の一実施例である鉄筋用スペーサーの構成を示す平面図である。
【図４】径が異なる鉄筋の保持状態を示す正面図である。
【図５】この発明の他の実施例である鉄筋用スペーサーの構成を示す正面図である。
【図６】図５の鉄筋用スペーサーを用いて鉄筋トラス付デッキプレート上にスラブ用鉄筋を保持した状態を示す断面図である。
【図７】図５の鉄筋用スペーサーを設置する方法を示す平面図である。
【図８】鉄筋トラス付デッキプレートの構成を示す斜視図である。
【符号の説明】
【００４１】
１    鉄筋トラス付デッキプレート
２    鉄筋用スペーサー
３    鉄筋
４    基板部
５    保持板部
６    ストッパー
１０  基板
１１  リブ
１２  ラチス筋
１３  上端筋
１４  トラス
４１，４２，４３  脚部
５０  外壁部
５１  内壁部
５２，５３  抜止め突起
【図１】
2008075290.tif 000003
【図２】
2008075290.tif 000004
【図３】
2008075290.tif 000005
【図４】
2008075290.tif 000006
【図５】
2008075290.tif 000007
【図６】
2008075290.tif 000008
【図７】
2008075290.tif 000009
【図８】
2008075290.tif 000010